(57)【要約】【課題】この発明は、デザイン性と、着心地を損なわず、自由度を害しない程度で長期間の着用ができるウエストが伸びるジーンズの提供にある。【解決手段】ストレッチデニムの生地であって、所要温度で熱処理をし、生地の弾力を高め、生地の織り方向の縦方向については、殆ど伸びがないが、幅方向の横方向には、伸びるものを選択し、これに少なくとも左前身、右前身、左後身、右後身、左後尻まち、右後尻まち、腰帯部をそれぞれ横方向に伸長可能な位置に裁断し、前記左後身の上縁に左後尻まちを環縫により、また、右後身の上縁に右後尻まちを環縫により縫い合わせし、伸長自在の腰帯部の上縁に環縫を、同じく腰帯部の下縁側に、前記左前身の上縁、右前身の上縁、左後身を環縫している左後尻まちの上縁、右後身を環縫している右後尻まちの上縁を環縫により縫い合わせる。【選択図】        図３
2005054285.tif 000002
【特許請求の範囲】
【請求項１】
ストレッチデニムの生地であって、所要温度で熱処理をし、生地スパン糸と共に縮むことにより生地の弾力を高め、生地の織り方向の縦方向については、殆ど伸びがないが、幅方向の横方向には伸びるものを選択し、これに少なくとも左前身、右前身、左後身、右後身、左後尻まち、右後尻まち、腰帯部をそれぞれ横方向に伸長可能な位置に裁断し、前記左後身の上縁に左後尻まちを環縫により、また、右後身の上縁に右後尻まちを環縫により縫い合わせし、伸長自在の腰帯部の上縁に環縫を、同じく腰帯部の下縁側に、前記左前身の上縁、右前身の上縁、左後身を環縫している左後尻まちの上縁、右後身を環縫している右後尻まちの上縁を環縫により縫い合わせをしてなるウエストが伸びるジーンズ。
【請求項２】
ストレッチデニムの生地であって、１６０℃ぐらいで熱処理をし、生地スパン糸と共に２０％程度縮むことにより生地の弾力を高め、生地の織り方向の縦方向については、殆ど伸びがないが、幅方向の横方向には伸びるものを選択し、これに左前身、右前身、左後身、右後身、左前ポケット前身、右前ポケット前身、左前内ポケット、左二つ折り前立、右前立、左後尻まち、右後尻まち、左後ポケット、右後ポケットに加えて、腰帯部をそれぞれ横方向に伸長可能な位置に裁断し、左後身の上縁に左後尻まちを環縫により、また、右後身の上縁に右後尻まちを環縫により縫い合わせし、また、伸長自在の腰帯部の二つ折り上縁に環縫を、また、その二つ折り下縁間の内側に、前記左前身の上縁、右前身の上縁、左後身を環縫している左後尻まちの上縁、右後身を環縫している右後尻まちの上縁をそれぞれ差し入れ、環縫により縫い合わせをしてなるウエストが伸びるジーンズ。
【発明の詳細な説明】
【０００１】
【発明が属する技術分野】
この発明は、ウエストが伸びるジーンに関するものである。
【０００２】
【従来の技術】
従来、ジーンズにおける各部片の一般的裁断例は、図６に示すようになされ、全体としてのシルエットを保つためにウエストが伸長しないものとなっている。
【０００３】
【発明が解決しようとする課題】
しかるに、成長の激しい児童にあっては、ウエスト回りが固定されていると、直ぐにきつくなり、成長を阻害することにもなる。そこで、大きいサイズのものを着用すると、腰回りがダブダブとなり、気心地が悪いばかりでなく、不格好となるものである。この発明は、デザイン性と、着心地を損なわず、自由度を害しない程度で長期間の着用ができるウエストが伸びるジーンズの提供を目的になされたものである。
なお、実登第３０７１２４９号には、膝前身に伸縮性の高いメリヤスを用いて膝の自由度高め、履き心地を改善するジーンズが提案されているが、縫製上とデザイン性において問題がある。
【０００４】
【課題を解決するための手段】
ストレッチデニムの生地であって、所要温度で熱処理をし、生地スパン糸と共に縮むことにより生地の弾力を高め、生地の織り方向の縦方向については、殆ど伸びがないが、幅方向の横方向には伸びるものを選択し、これに少なくとも左前身、右前身、左後身、右後身、左後尻まち、右後尻まち、腰帯部をそれぞれ横方向に伸長可能な位置に裁断し、前記左後身の上縁に左後尻まちを環縫により、また、右後身の上縁に右後尻まちを環縫により縫い合わせし、伸長自在の腰帯部の上縁に環縫を、同じく腰帯部の下縁側に、前記左前身の上縁、右前身の上縁、左後身を環縫している左後尻まちの上縁、右後身を環縫している右後尻まちの上縁を環縫により縫い合わせをしてなるウエストが伸びるジーンズにある。
【０００５】
ストレッチデニムの生地であって、１６０℃ぐらいで熱処理をし、生地スパン糸と共に２０％程度縮むことにより生地の弾力を高め、生地の織り方向の縦方向については、殆ど伸びがないが、幅方向の横方向には伸びるものを選択し、これに左前身、右前身、左後身、右後身、左前ポケット前身、右前ポケット前身、左前内ポケット、左二つ折り前立、右前立、左後尻まち、右後尻まち、左後ポケット、右後ポケットに加えて、腰帯部をそれぞれ横方向に伸長可能な位置に裁断し、左後身の上縁に左後尻まちを環縫により、また、右後身の上縁に右後尻まちを環縫により縫い合わせし、また、伸長自在の腰帯部の二つ折り上縁に環縫を、また、その二つ折り下縁間の内側に、前記左前身の上縁、右前身の上縁、左後身を環縫している左後尻まちの上縁、右後身を環縫している右後尻まちの上縁をそれぞれ差し入れ、環縫により縫い合わせをしてなるウエストが伸びるジーンズとしてもよいものである。
【０００６】
【発明の実施の形態】
ストレッチデニムの生地であって、１６０℃ぐらいで熱処理をし、生地スパン糸と共に２０％程度縮むことにより生地の弾力を高め、生地の織り方向の縦方向については、殆ど伸びがないが、幅方向の横方向には伸びるものを選択し、これに左前身、右前身、左後身、右後身、左前ポケット前身、右前ポケット前身、左前内ポケット、左二つ折り前立、右前立、左後尻まち、右後尻まち、左後ポケット、右後ポケットに加えて、腰帯部をそれぞれ横方向に伸長可能な位置に裁断し、左後身の上縁に左後尻まちを環縫により、また、右後身の上縁に右後尻まちを環縫により縫い合わせし、また、伸長自在の腰帯部の二つ折り上縁に環縫を、また、その二つ折り下縁間の内側に、前記左前身の上縁、右前身の上縁、左後身を環縫している左後尻まちの上縁、右後身を環縫している右後尻まちの上縁をそれぞれ差し入れ、環縫により縫い合わせをしてなるウエストが伸びるジーンズ。
【０００７】
【実施例】
以下、この発明のウエストが伸びるジーンズ１を実施例である図面により説明すると、図１は、ストレッチデニムの生地２であって、１６０℃ぐらいで熱処理をし、生地スパン糸と共に２０％程度縮むことにより生地の弾力を高め、生地２の織り方向の縦方向については、殆ど伸びがないが、幅方向の横方向には、例えば１／１０以上に伸びるものを選択し、これに左前身２ａ、右前身２ｂ、左後身３ａ、右後身３ｂをそれぞれ横方向に伸長可能な位置、例えば、図１に示すように裁断し、また、左前ポケット前身４ａ、右前ポケット前身４ｂ、左前内ポケット４ｃ、左二つ折り前立５ａ、右前立５ｂ、左後尻まち６ａ、右後尻まち６ｂ、左後ポケット７ａ、右後ポケット７ｂに加えて、腰帯部８をそれぞれ横方向に伸長可能な位置、例えば、同じく図１に示すように、裁断してなるものである。
【０００８】
次に、左前身２ａの上部の左側縁２ａ１に、左前内ポケット４ｃを縫着した左前ポケット前身４ａを、図１および図４に示すように、左ポケット袋地９ａと共に縫い合わせし、反対の上半部の右側縁２ａ２に、左二つ折り前立５ａを縫い合わせする。また、右前身２ｂの上半部の左側縁２ｂ１の裏側に、右前立５ｂを縫い合わせする。反対の上半部の右側縁２ｂ２に、右前ポケット前身４ｂを、図１および図５に示すように、右後ポケット袋地９ｂと共に縫い合わせする。
【０００９】
次に、左後身３ａの上部の外面に左後ポケット７ａを縫着した後、上縁３ａ１に左後尻まち６ａを環縫１０ａ、１０ｂにより接続し、また、右後身３ｂの上部の外面に右後ポケット７ｂを縫着した後、上縁３ｂ１に右後尻まち６ｂを環縫い１０ａ、１０ｂにより接続する。
【００１０】
また、左前身２ａと右前身２ｂの左二つ折り前立５ａと右前立５ｂの対応部分を除き、対応する側縁を一般の縫着手段により縫着し、左後身３ａと右後身３ｂの股上部分を縫い合わせした後、左前身２ａと左後身３ａ（左後尻まち６ａの部分を含む）の対応縁を縫い合わせし、また、右前身２ｂと右後身３ｂ（右後尻まち６ｂの部分を含む）の対応縁を縫い合わせして全体を筒状体に構成しその上端を二つ折りの腰帯部８の内側に所要幅差し入れ、上下端部に貫通する環縫１１ａ、１１ｂにより横方向に伸縮自在に縫着し、所要箇所にベルト通し８ｃを所要の間隔で縫着してなるものである。
【００１１】
この発明のウエストが伸びるジーンズ１は、前記のように、ストレッチデニムの生地２であって、１６０℃ぐらいで熱処理をし、生地スパン糸共に２０％程度縮むことにより生地の弾力を高め、生地２の織り方向の縦方向については、殆ど伸びがないが、幅方向の横方向には、例えば１／１０以上に伸びるものを選択し、各部片を裁断し、左後身３ａの上縁３ａ１に左後尻まち６ａを、また、右後身３ｂの上縁３ｂ１に右後尻まち６ｂを環縫１０ａおよび環縫１０ｂにより縫い合わせしており、（環縫１０ａだけでもよい）また、伸長自在の腰帯部８の二つ折り上縁８ａに環縫１１ａを、また、その二つ折り下縁８ｂ間の内側に、前記左前身２ａの上縁２ａ３、右前身２ｂの上縁２ｂ３、左後身３ａを環縫している左後尻まち６ａの上縁６ａ１、右後身３ｂを環縫している右後尻まち６ｂの上縁６ｂ１をそれぞれ差し入れた後、環縫１１ｂをそれぞれなしているから、腰回りに伸長するものである。また、その伸長も左後尻まち６ａと右後尻まち６ｂによってサイドの上下巾が狭くなっているので、尻の形に沿って立体的に伸長するものである。
【００１２】
前記左後尻まち６ａの環縫１０ａ、右後尻まち６ｂの環縫１０ｂ、腰帯部８の上縁８ａの環縫１１ａ、腰帯部８の下縁８ｂの環縫１１ｂについて、通常１１針のところを９針にして余裕をもたせ、ストレッチ性を損なわないようなステッチ使いで、かつ強い引っ張り力が加わっても耐える丈夫な環縫で縫製している。なお、環縫の針数は、デザイン、生地その他により適宜変わるものである。
【００１３】
また、上記縫製の順序については、一例であって限定されるものではない。
【００１４】
【発明の効果】
この発明のウエストが伸びるジーンズは、以上のようになるから、ウエストが固定されず伸長するので、成長の著しい児童の被服として最適である。また、ベルトにより固定化することにより一般成人の被服としても着用できる。そして、前記全体の裁断と、特に、左右後尻まちについても環縫がなされているので、身体に沿った形に伸長し、デザイン上の美しさとフィット感に優れたジーンズを提供できる。
【図面の簡単な説明】
【図１】この発明のウエストが伸びるジーンズの各部片の裁断実施例を示す平面図である。
【図２】この発明のウエストが伸びるジーンズの実施例を示す正面側平面図である。
【図３】同じく、背面側平面図である。
【図４】図２のＡ−Ａ線に沿う拡大断面図である。
【図５】図２のＢ−Ｂ線に沿う拡大断面図である。
【図６】従来のウエストが伸びないジーンズの各部片の裁断例を示す平面図である。
【符号の説明】
１  ウエストが伸びるジーンズ
２  生地
２ａ  左前身
２ａ１  左側縁
２ａ２  右側縁
２ａ３  上縁
２ｂ  右前身
２ｂ１  左側縁
２ｂ２  右側縁
２ｂ３  上縁
３ａ  左後身
３ａ１  上縁
３ｂ  右後身
３ｂ１  上縁
４ａ  左前ポケット前身
４ｂ  右前ポケット前身
４ｃ  左前内ポケット
５ａ  左二つ折り前立
５ｂ  右前立
６ａ  左後尻まち
６ａ１  上縁
６ｂ  右後尻まち
６ｂ１  上縁
７ａ  左後ポケット
７ｂ  右後ポケット
８  腰帯部
８ａ  上縁
８ｂ  二つ折り下縁
８ｃ  ベルト通し
９ａ  左ポケット袋地
９ｂ  右ポケット袋地
１０ａ  環縫
１０ｂ  環縫
１１ａ  環縫
１１ｂ  環縫
【図１】
2005054285.tif 000003
【図２】
2005054285.tif 000004
【図３】
2005054285.tif 000005
【図４】
2005054285.tif 000006
【図５】
2005054285.tif 000007
【図６】
2005054285.tif 000008